(57)【要約】【課題】ローカル側においては係員による不正や改ざんが困難であり、かつポイント管理センター側における処理負担が少ないポイント管理システムを提供する。【解決手段】本発明のポイント管理システムは、耐タンパー性を有するＩＣカードリーダーライタと、当該ＩＣカードリーダーライタと非接触で交信を行うＩＣカードによって構成される。ＩＣカードリーダーライタは各店舗に設置される決済用端末と通信可能に接続され（ＰＯｎ）、決済用端末で設定された決済代金をＩＣカードから引き去り、決済代金に応じたポイントを発生させると共に、当決済代金に係るＳＦデータ、発生したポイントに係るポイントデータを管理センター等に設置された上位サーバ（５０、５１）に送信する。【選択図】      図４
2008077556.tif 000002
【特許請求の範囲】
【請求項１】
耐タンパー性を有するＩＣカードリーダーライタと、当該ＩＣカードリーダーライタと非接触で交信を行うＩＣカードによって構成されるポイント管理システムにおいて、
当該ＩＣカードリーダーライタは各店舗に設置される決済用端末と通信可能に接続され、当該決済用端末で設定された決済代金をＩＣカードから引き去り、当該決済代金に応じたポイントを発生させると共に、当該決済代金に係るＳＦデータ、発生したポイントに係るポイントデータを管理センター等に設置された上位サーバに送信することを特徴とするポイント管理システム。
【請求項２】
耐タンパー性を有するＩＣカードリーダーライタと、当該ＩＣカードリーダーライタと非接触で交信を行うＩＣカードによって構成されるポイント管理システムにおいて、
当該ＩＣカードリーダーライタは各店舗に設置される決済用端末と通信可能に接続され、当該決済用端末で設定された決済代金は現金にて決裁し、当該決済代金に応じたポイントをＩＣカード発生させると共に、発生したポイントに係るポイントデータを管理センター等に設置された上位サーバに送信することを特徴とするポイント管理システム。
【請求項３】
耐タンパー性を有するＩＣカードリーダーライタと、当該ＩＣカードリーダーライタと非接触で交信を行うＩＣカードによって構成されるポイント管理システムにおいて、
当該ＩＣカードリーダーライタは各店舗に設置されるクレジット端末と通信可能に接続され、当該クレジット端末で設定された決済代金をクレジットカードにて決済し、当該決済代金に応じたポイントをＩＣカードに発生させると共に、発生したポイントに係るポイントデータを管理センター等に設置された上位サーバに送信することを特徴とするポイント管理システム。
【請求項４】
当該ＩＣカードには、当該ＩＣカードがポイント対象カードであるかないかに係るデータが記憶されることを特徴とする請求項１乃至請求項３のいずれかに記載のポイント管理システム。
【請求項５】
前記上位サーバは、前記ＳＦデータをカードＩＤ毎に管理するＳＦデータサーバと、前記ポイントデータをカードＩＤ毎に管理するポイントデータサーバとであることを特徴とする請求項１乃至請求項４のいずれかに記載のポイント管理システム。
【請求項６】
当該ＩＣカードには、前記ポイントデータを記憶するメモリを有しないことを特徴とする請求項１乃至請求項５のいずれかに記載のポイント管理システム。
【請求項７】
当該ＩＣカードの前記ポイントデータの累積は前記ポイントデータサーバで管理することを特徴とする請求項１乃至請求項６のいずれかに記載のポイント管理システム。
【発明の詳細な説明】
【技術分野】
【０００１】
本発明は、ＩＣカードの利用に伴い発生するポイントの管理を行うポイント管理システムに関する。
【背景技術】
【０００２】
特定の店舗での物品購入等の代金の何パーセントかをポイントとしてカードにチャージ・累積しておき、当該店舗において、ポイントを現金と同じように使うことを可能とするポイントサービスを導入する事例が近年増加している。このようなポイントサービスを可能とするためには、顧客に配布するポイントカードのポイント残高等の管理を行うポイント管理システムが必要となる。例えば、特許文献１（特開２００３−６７６１９号公報）には、このようなシステムとして、磁気型ＰＥＴカードを利用したポイントサービス管理システムにおいて、複数の店舗のそれぞれに設置され，利用者の依頼により利用者カードを発行するとき磁気型ＰＥＴカードを使用して利用者情報を記録し，前記利用者カードを使用するごとに利用者情報を更新し，前記利用者情報をセンタコンピュータに送信し，前記利用者情報が不明のとき前記センタコンピュータに照会する店舗コンピュータと、前記店舗コンピュータが送信する利用者情報を受信して蓄積し，店舗コンピュータからの照会に従って該当の利用者情報を取出して前記店舗コンピュータへ送信するセンタコンピュータと、前記店舗コンピュータおよび前記センタコンピュータを相互に接続する通信回線とを有することを特徴とするポイントサービス管理システムが開示されている。
【０００３】
一方、公共交通機関における自動改札機の入札、出札等に、近年、リサイクル使用できるＩＣカードが利用され始めている。このようなＩＣカードは、自動改札機等に内蔵されたカードリーダーライタとの間で、非接触式で無線通信を行うように設定されている非接触式ＩＣカードであり、例えば、定期券としての価値情報や乗車券をプリペイドするための金額情報が書き込まれていて、『Ｓｕｉｃａ（登録商標）』などと呼ばれ、定期券やストアードフェア型の乗車券として広く普及し始めている。
【０００４】
このようなＩＣカードは公共交通機関の利用者の多くが所持するところまで普及し始めていることから、当該ＩＣカードに貯えられたストアードフェア（電子マネー）により買い物・サービス等の決裁が行える機能をこのＩＣカードに付与することで利用者のより一層の利便性を図ることが試みられている。ところで、店側において、ＩＣカードによる電子マネーの決済機能を有する販売システムを構築するためには、ＩＣカードリーダライタモジュールと、このＩＣカードリーダライタモジュールで、ＩＣカードから引き去る額を設定する機器の導入が必要となる。
【０００５】
このようなＩＣカードによる決済機能を有する販売システムとしては、例えば、特許文献１（特開２００５−１６５５５９号公報）に、顧客の操作により、商品に貼付されているバーコードから当該商品の販売情報を読み取るセルフ用バーコードリーダと、商品の名称をタッチボタンとして表示し、顧客が前記タッチボタンに触れることによって該当する商品の販売情報を読み取るセルフ用タッチパネルの少なくともいずれかを装備すると共に、ＰＯＳ機能を有し、前記セルフ用バーコードリーダから受信した販売情報と前記セルフ用タッチパネルから受信した販売情報とに基づいて売り上げた商品の販売情報を集計・管理するコントロールユニットを備えることを特徴とする商品販売管理システムが開示されている。
【特許文献１】特開２００３−６７６１９号公報
【特許文献２】特開２００５−１６５５５９号公報
【発明の開示】
【発明が解決しようとする課題】
【０００６】
特許文献１に開示されているポイントサービス管理システムは、ポイント発生を行うのは各店舗側のコンピュータであり、利用者がカードを使用するごとに利用者情報を更新し、この利用者情報をセンタコンピュータに送信するものであるので、店舗の係員による不正や改ざんといったことが可能なシステムであるという点で問題があった。係員によるこのような不正や改ざんを防止するために、ポイント発生をセンターサーバなどにおいて一括して行うポイントサービス管理システムも存在するが、このようなシステムにおいては、処理がセンターサーバに集中してしまい、センターサーバの負担が大きい、という問題があった。
【課題を解決するための手段】
【０００７】
このような課題を解決するために、請求項１に係る発明は、耐タンパー性を有するＩＣカードリーダーライタと、当該ＩＣカードリーダーライタと非接触で交信を行うＩＣカードによって構成されるポイント管理システムにおいて、当該ＩＣカードリーダーライタは各店舗に設置される決済用端末と通信可能に接続され、当該決済用端末で設定された決済代金をＩＣカードから引き去り、当該決済代金に応じたポイントを発生させると共に、当該決済代金に係るＳＦデータ、発生したポイントに係るポイントデータを管理センター等に設置された上位サーバに送信することを特徴とする。
【０００８】
また、請求項２に係る発明は、耐タンパー性を有するＩＣカードリーダーライタと、当該ＩＣカードリーダーライタと非接触で交信を行うＩＣカードによって構成されるポイント管理システムにおいて、当該ＩＣカードリーダーライタは各店舗に設置される決済用端末と通信可能に接続され、当該決済用端末で設定された決済代金は現金にて決裁し、当該決済代金に応じたポイントをＩＣカード発生させると共に、発生したポイントに係るポイントデータを管理センター等に設置された上位サーバに送信することを特徴とする。
【０００９】
また、請求項３に係る発明は、耐タンパー性を有するＩＣカードリーダーライタと、当該ＩＣカードリーダーライタと非接触で交信を行うＩＣカードによって構成されるポイント管理システムにおいて、当該ＩＣカードリーダーライタは各店舗に設置されるクレジット端末と通信可能に接続され、当該クレジット端末で設定された決済代金をクレジットカードにて決済し、当該決済代金に応じたポイントをＩＣカードに発生させると共に、発生したポイントに係るポイントデータを管理センター等に設置された上位サーバに送信することを特徴とする。
【００１０】
また、請求項４に係る発明は、請求項１乃至請求項３のいずれかに記載のポイント管理システムにおいて、当該ＩＣカードには、当該ＩＣカードがポイント対象カードであるかないかに係るデータが記憶されることを特徴とする。
【００１１】
また、請求項５に係る発明は、請求項１乃至請求項４のいずれかに記載のポイント管理システムにおいて、前記上位サーバは、前記ＳＦデータをカードＩＤ毎に管理するＳＦデータサーバと、前記ポイントデータをカードＩＤ毎に管理するポイントデータサーバとであることを特徴とする。
【００１２】
また、請求項６に係る発明は、請求項１乃至請求項５のいずれかに記載のポイント管理システムにおいて、当該ＩＣカードには、前記ポイントデータを記憶するメモリを有しないことを特徴とする。
【００１３】
また、請求項７に係る発明は、請求項１乃至請求項６のいずれかに記載のポイント管理システムにおいて、当該ＩＣカードの前記ポイントデータの累積は前記ポイントデータサーバで管理することを特徴とする。
【発明の効果】
【００１４】
本発明のポイント管理システムによれば、耐タンパー性を有するＩＣカードリーダーライタによってポイントを発生させて、ポイント自体はＩＣカードに累積させるのでなく、センターのサーバ側で管理するので、係員による不正や改ざんが困難である。また、ポイントの発生は、センター側ではなくローカル側であるＩＣカードリーダーライタや、自動券売機、自動改札機にて行い、センター側ではポイントの累積等の管理を行うだけであるので、センター側の負荷が少ない。
【発明を実施するための最良の形態】
【００１５】
以下、本発明の実施の形態を図面を参照しつつ説明する。図１は、本発明の実施の形態に係るポイント管理システムに用いるＩＣカードのシステム構成を示す図である。図１において、１はＩＣカード、２はカードＩＤデータ記憶部、３はポイント対象カードデータ記憶部、４はＳＦデータ記憶部、１１はアンテナ部、１２は電力生成部、１３は通信制御部、１４はＩ／Ｏユニット、１５はＣＰＵ、１６はメモリをそれぞれ示している。
【００１６】
ＩＣカード１は、無線通信機能を有してなり、他の情報機器との間で情報の送受を行うことができる非接触型ＩＣカードである。すなわち、このＩＣカード１には、アンテナ部１１と、例えば自動改札機などのＩＣカードリーダーライタ内蔵機器と通信（交信）するための通信制御部１３と、その通信制御部１３とＩ／Ｏユニット１４を介して接続されているＣＰＵ１５と、システムプログラムデータの他に所定のカードデータの記憶されているメモリ１６と、自動改札機などのＩＣカードリーダーライタ内蔵機器からの電力波をアンテナ部１１を介して受信し、ＩＣカード１の駆動電力を生成する電力生成部１２とを有している。
【００１７】
上記のメモリ１６は、ＩＣカード１自体の識別情報を記憶保持するカードＩＤデータ記憶部２や、乗車運賃、物販、サービスの決裁に利用する金額データ（ＳＦデータ）を記憶保持するＳＦデータ記憶部４と共に、ポイント対象カードデータ記憶部３を有している。なお、ＳＦとはストーアドファアのことであり、このＳＦを用いて、交通機関の利用料金支払い以外にも、物品購入代金等の決済も行い得るものである。すなわち、ＩＣカード１は自動改札機内蔵のＩＣカードリーダーライタ内蔵機器との交信以外にも、後述するように店舗等のレジスタとして用いられる決済用端末と接続されたＩＣカードリーダーライタとも交信を行い、ＳＦデータ記憶部４から所定の金額データ（ＳＦデータ）を引き去ることが可能に構成される。なお、ここで、決済用端末として、ＰＯＳ端末を例に挙げながら説明するが、本明細書においては、「決済用端末」とはＰＯＳ端末、ＣＡＴ端末、ＣＣＴ端末、自動販売機などの決裁端末も含むものと定義する。
【００１８】
ポイント対象カードデータ記憶部３は、ＩＣカード１が、ポイントを貯めることが可能なカードであるか、そうでないかを記憶しておく。ポイント対象カードデータ記憶部３は、不図示の所定のＩＣカードリーダーライタによって、書き換え可能に構成されている。顧客の要望に応じて顧客のＩＣカード１のポイント対象カードデータ記憶部３を書き換えることによって、ＩＣカード１をポイント累積可能なものか、そうでないものとするかを適宜変更する。
【００１９】
ＩＣカード１を決済用端末等に接続されたＩＣカードリーダーライタと交信させる際に、当該ＩＣカードリーダーライタは、このポイント対象カードデータ記憶部３の情報を読み取り、それに応じて、ポイントを発生させるかを決定する。ＩＣカード１のポイント対象カードデータ記憶部３に当該ＩＣカード１がポイント累積可能カードであることが記憶されていると、当該ＩＣカードリーダーライタは、ポイントを発生さて、これを上位のポイント管理センター等に設置されているサーバーに送信する。
【００２０】
なお、メモリ１６には、ここで示した各記憶部の他に、乗車区間や有効期間等の所定の定期券データを記憶する記憶部等の種々の記憶部を設ける得るものであるが、本発明には直接的に関係ないのでここでは割愛する。また、ＩＣカード１は、自動改札機以外にも、クレジット端末と接続されたカードリーダーライタ、自動券売機などといった機器によっても、ＳＦデータの引き去り等が可能に構成されるものである。
【００２１】
図２は、本発明の実施の形態に係るポイント管理システムの店舗側構成を示す図であり、図３は、本発明の実施の形態に係るポイント管理システムに用いるＩＣカードリーダーライタのシステム構成を示す図である。
【００２２】
以下、決済用端末としては、ＰＯＳ端末を具体例に挙げながら説明するが、本明細書においては、「決済用端末」とはＰＯＳ端末、ＣＡＴ端末、ＣＣＴ端末、自動販売機などのも含むものである。
【００２３】
図２及び図３において、２０はＩＣカードリーダーライタ、２１はＣＰＵ、２２はＲＡＭ、２３はＲＯＭ、２４は表示制御部、２５は表示パネル、２６は音声出力制御部、２７はスピーカ、２８は決済用端末通信制御部、２９は通信制御部、３０はリーダーライタ制御部、３１はリーダーライタ部、４０は決済用端末をそれぞれ示している。図２ではＩＣカードリーダーライタ２０の接続先として決済用端末を示しているが、ＩＣカードリーダーライタ２０はその他の売り上げ計上機器端末であるクレジット端末との接続も可能な汎用性のあるものである。ただ、この場合、決済用端末通信制御部２８は、クレジット端末通信制御部へと変更される。また、本発明の動作は、ＣＰＵ２１が、ＲＯＭ２３に記憶されたシステムプログラムに基づいて、ＣＰＵ２１が、各制御部と協働することによって動作するものである。
【００２４】
図２において、ＩＣカードリーダーライタ２０と決済用端末４０のペアであるＰＯｎは店舗のレジスタとして用いられるひとつの決済用端末単位を示しており、この決済用端末単位ＰＯｎはひとつの店舗に複数導入されたり、場所の異なった店舗に複数導入されたりすることが想定される。
【００２５】
ＩＣカードリーダーライタ２０は、解析機器によるＩＣカードリーダーライタ２０内の解析や不正な分解に対する耐タンパー性を有している。また、ＩＣカードリーダーライタ２０は、ＩＣカード１から、ＳＦデータ（金額データ）を引き去るものであるが、引き去る金額の設定は決済用端末４０によってなされる。
【００２６】
図３において、ＩＣカードリーダーライタ２０の主制御は、ＲＯＭ２３に格納されているシステムプログラム及びＲＡＭ２２に格納されているワーキングデータを用いてＣＰＵ（中央処理部）１２が行う。ＣＰＵ（中央処理部）は、ＣＰＵ２１に接続される各構成の制御の他に、ポイント発生等の演算処理なども行う。
【００２７】
ＣＰＵ２１には、表示パネル２５を駆動する表示制御部２４、スピーカ２７を駆動する音声制御部２６が接続されている。表示パネル２５には、決済用端末４０で設定された金額が表示されＩＣカード１からの引き去り額として表示される。また、スピーカ２７は、ＩＣカード１がリーダーライタ部３１にかざされて、ＩＣカード１との無線通信が成功したときに「ピピッ」などの電子音を発生するように構成されている。
【００２８】
ＩＣカードリーダーライタ２０と決済用端末４０とは、図示するように通信ラインで接続されており、決済用端末通信制御部２８がＩＣカードリーダーライタ２０と決済用端末４０間の通信制御を司る。
【００２９】
通信制御部２９は、通信回線を介して、全てのＩＣカードリーダーライタや全ての自動改札機、自動券売機等の駅務機器を管理するセンターに設けられるＳＦデータサーバ５０に接続される。この通信制御部２９は、ＣＰＵ２１の制御に基づいて、当該ＳＦデータサーバ５０等に対して所定の信号を出力するとともに、ネガチェックなどのＳＦデータサーバ５０からの所定の信号の入力を受け付ける。
【００３０】
ＩＣカード１との通信手段として機能するリーダーライタ部３１は、ＩＣカード１との間で無線通信を行う不図示のアンテナを備えている。このリーダーライタ部３１は、ＣＰＵ２１による制御に基づいて、アンテナの交信エリア内にかざされたＩＣカード１と交信し、ＩＣカード１のカードＩＤデータ記憶部２やＳＦデータ記憶部４に記憶されている情報を読み取るとともに、ＩＣカード１に対して、精算処理後の残額に対応した金額情報（ＳＦデータ）などのデータの書き込みを行う。
【００３１】
次に、以上のように構成されたＩＣカードリーダーライタ２０と決済用端末４０のペアにおける決裁処理、ポイント発生処理の動作について説明する。顧客による商品購入の代金の計算は、決済用端末４０側にて行われ、顧客がＩＣカード１による清算を希望した場合には、決済用端末４０からＩＣカードリーダーライタ２０へと、ＩＣカード１から引き落とすべき金額データを送信する。これを受信したＩＣカードリーダーライタ２０は、金額を表示パネル２５に表示する。そして、顧客のＩＣカード１がリーダーライタ部３１にかざされると、ＩＣカード１と無線通信を行い、当該ＩＣカード１に係る情報、すなわち、ＩＣカード１のカードＩＤデータ記憶部２、ポイント対象カードデータ記憶部３、ＳＦデータ記憶部４からの情報を読み出す。
【００３２】
ＩＣカードリーダーライタ２０は、読み出されたデータのうちカードＩＤデータ記憶部２からの情報を参照して、当該ＩＣカード１が不正利用されたものではないか等をチェックする。ポイント対象カードデータ記憶部３からのデータは、当該ＩＣカード１がポイント対象カードであるかどうかの判断に利用される。
【００３３】
ＳＦデータ記憶部４から読み出されたデータは、当該ＩＣカード１にチャージされているＳＦデータ（金額データ）の残高情報として利用される。ＳＦデータ記憶部４において、残高情報が顧客の利用代金に満たない場合には、ＩＣカード１による決裁が不可能であることのワーニング表示などを行う。残高情報が顧客の利用代金以上ある場合には、ＩＣカードリーダーライタ２０は、残高情報から利用代金を引き去り、清算後の残高の情報につきＳＦデータ記憶部４に記録すると共に、当該ＩＣカード１によるＳＦデータ使用に係る情報をＳＦデータサーバ５０に、通信制御部２９を介して送信する。
【００３４】
決裁を行ったＩＣカード１がポイント対象カードでない場合には、ここで決裁の全てが完了する。ＩＣカード１がポイント対象カードであった場合には、ＣＰＵ２１は利用料金に応じた発生ポイントを計算して、通信制御部５０を介して、当該ＩＣカード１による発生ポイント情報をポイントデータサーバ５１に向けて送信する。
【００３５】
なお、顧客が利用代金の現金による決済を望み、かつＩＣカード１のポイント累積を希望したような場合には、決済用端末４０からＩＣカードリーダーライタ２０に送信された代金データに応じたＩＣカードリーダーライタ２０側でポイントを発生させる。ＩＣカードリーダーライタ２０は、かざされたＩＣカード１のカードＩＤデータ記憶部２、ポイント対象カードデータ記憶部３の情報を読み出して、当該ＩＣカード１がポイント対象カードである場合には、発生ポイントに係る情報を、当該ＩＣカード１のＩＤデータとともにポイントデータサーバ５１に向けて送信する。
【００３６】
次に、以上のように構成されたＩＣカードリーダーライタ２０と決済用端末４０のペアがどのように中央の管理センターと接続されているかについて説明する。図４は、本発明の実施の形態に係るポイント管理システムの全体構成の概略を示す図である。図４において、５０はＳＦデータサーバ、５１はポイントデータサーバ、ＰＯ１乃至ＰＯｎは決済用端末群、ＣＤ１乃至ＣＤｎはクレジット端末群、ＴＶ１乃至ＴＶｎは自動券売機群、ＴＷ１乃至ＴＷｎは自動改札機群、ＰＥ１乃至ＰＥｎはポイント交換機群をそれぞれ示している。
【００３７】
決済用端末単位はひとつの店舗に複数導入されたり、場所の異なった店舗に複数導入されたりすることが想定されており、このような複数の決済用端末単位の集合を、図４ではＰＯ１乃至ＰＯｎからなる決済用端末群として示している。決済用端末単位等が各店舗（ローカル側）に分散的に設置されるのとは異なり、ＳＦデータサーバ５０及びポイントデータサーバ５１は、中央の管理センター等に設置されるものである。
【００３８】
クレジット端末単位ＣＤｎは、顧客が利用代金のクレジットカードによる決済を希望し、なおかつＩＣカード１へのポイント累積についても希望するような場合に利用されるものである。クレジット単位ＣＤｎにおけるクレジット端末とＩＣカードリーダーライタとの接続関係は、決済用端末とＩＣカードリーダーライタとの接続関係と同様である。クレジット端末の場合には、クレジット端末により設定された決済代金は、クレジットカードによって決裁されるが、クレジット端末で設定された利用代金に係る金額データがＩＣカードリーダーライタに送信され、ＩＣカードリーダーライタで当該金額データに応じてポイントを発生するものである。クレジット端末単位ＣＤｎにおけるＩＣカードリーダーライタは、当該ＩＣカード１による発生ポイント情報をポイントデータサーバ５１に向けて送信する。
【００３９】
自動券売機群ＴＶ１乃至ＴＶｎは、各駅に設けられたＩＣカード１が利用可能な自動販売機の集合を示したものである。これらの自動販売機ＴＶ１乃至ＴＶｎはＩＣカード１にチャージされたＳＦデータによって切符を購入することができたり、或いは、ＩＣカード１にＳＦデータをチャージすることができたりするものである。自動販売機での鉄道料金利用料金に伴ってポイントを発生させる場合には、ＩＣカード１による発生ポイント情報をポイントデータサーバ５１に向けて送信する。ポイント発生の有無にかかわらず、鉄道料金利用料金の清算後のＳＦデータは、ＳＦデータサーバ５０に送信される。また、ＩＣカード１にチャージされたＳＦデータについても、ＳＦデータサーバ５０に送信される。
【００４０】
自動改札機群ＴＷ１乃至ＴＷｎは、各駅に設けられるＩＣカード１に対応した自動改札機の集合を示したものであり、ＩＣカード１０との間で無線通信を行うリーダーライタ部を備え、このリーダーライタの交信エリア内にかざされたＩＣカード１と交信し、ＩＣカード１のカードＩＤデータ記憶部２やＳＦデータ記憶部４に記憶されている情報を読み取るとともに、ＩＣカード１に対して所定の情報、例えば、入場記録情報や出場記録情報、精算処理後の残額に対応した金額情報などを記録する。自動改札機での鉄道料金利用料金に伴ってポイントを発生させる場合には、ＩＣカード１による発生ポイント情報をポイントデータサーバ５１に向けて送信する。ポイント発生の有無にかかわらず、鉄道料金利用料金の清算後のＳＦデータは、ＳＦデータサーバ５０に送信される。
【００４１】
ＳＦデータサーバ５０は、発行されている全てのＩＣカード１のＩＤデータとＳＦデータ残高情報を管理するものであり、決済用端末群ＰＯ１乃至ＰＯｎ、クレジット端末群ＣＤ１乃至ＣＤｎ、自動券売機群ＴＶ１乃至ＴＶｎ、自動改札機群ＴＷ１乃至ＴＷｎからのデータを収集して・データ更新すると共に、不正使用の疑義があるＩＣカード１のＩＤデータを管理しておき、そのようなカードの使用を不能とするように、末端の端末群・自動販売機群・自動改札機群に対してデータ配信を行う。
【００４２】
ポイントデータサーバ５１は、発行されているＩＣカード１のうちポイント対象カードのＩＤデータと累積ポイントデータを管理するものであり、決済用端末群ＰＯ１乃至ＰＯｎ、クレジット端末群ＣＤ１乃至ＣＤｎ、自動券売機群ＴＶ１乃至ＴＶｎ、自動改札機群ＴＷ１乃至ＴＷｎにて発生した対象カードＩＣカード１に係るポイントデータを収集して、各カードのデータ毎にポイントを累積する。より具体的には、ポイントデータサーバ５１は、ポイント対象カードであるＩＣカード１それぞれのＩＤデータと累積ポイントを管理する。なお、ポイントデータは、ＳＦデータサーバ５０を経由してポイントデータサーバ５１に送られる構成となっているが、必ずしもこのように構成する必要性はない。
【００４３】
ポイント交換機群ＰＥ１乃至ＰＥｎは、ポイント対象カードを所有する利用者にとって利便性がよい複数箇所に設置され、累積されたポイントをＳＦデータに交換したり、ＩＣカードにポイントがどのくらい累積しているかを照会したりするサービスを行う機器の集合である。このようなポイント交換機の動作としては、まず、ＩＣカード１のカードＩＤデータ記憶部２、ポイント対象カードデータ記憶部３、ＳＦデータ記憶部４の各データを読み取り、そして、当該ＩＣカード１がポイント対象カードであった場合には、カードＩＤによりポイントデータサーバ５１対して、累積されたポイントを照会し、照会したポイントに応じて、ポイントデータをＳＦデータへと変換して、ＳＦデータ記憶部４に変換されたＳＦデータを加算する。当該ＩＣカード１のＳＦデータへと変換されたポイント分は、ポイントデータサーバ５１から消去される。また、当該ＩＣカード１について、ポイントデータがＳＦデータに変換された旨の情報は、ポイントデータサーバ５１を経由してＳＦデータサーバ５０にも送信され、ＳＦデータサーバ５０が所有する当該ＩＣカード１のＳＦデータも更新される。
【００４４】
以上、本発明のポイント管理システムによれば、耐タンパー性を有するＩＣカードリーダーライタによってポイントを発生させて、ポイント自体はＩＣカードに累積させるのでなく、センターのサーバ側で管理するので、係員による不正や改ざんが困難である。また、ポイントの発生は、センター側ではなくローカル側であるＩＣカードリーダーライタや、自動券売機、自動改札機にて行い、センター側ではポイントの累積等の管理を行うだけであるので、センター側の負荷が少ない。
【図面の簡単な説明】
【００４５】
【図１】本発明の実施の形態に係るポイント管理システムに用いるＩＣカードのシステム構成を示す図である。
【図２】本発明の実施の形態に係るポイント管理システムの店舗側構成を示す図である。
【図３】本発明の実施の形態に係るポイント管理システムに用いるＩＣカードリーダーライタのシステム構成を示す図である。
【図４】本発明の実施の形態に係るポイント管理システムの全体構成の概略を示す図である。
【符号の説明】
【００４６】
１・・・ＩＣカード、２・・・カードＩＤデータ記憶部、３・・・ポイント対象カードデータ記憶部、４・・・ＳＦデータ記憶部、１１・・・アンテナ部、１２・・・電力生成部、１３・・・通信制御部、１４・・・Ｉ／Ｏユニット、１５・・・ＣＰＵ、１６・・・メモリ、２０・・・ＩＣカードリーダーライタ、２１・・・ＣＰＵ、２２・・・ＲＡＭ、２３・・・ＲＯＭ、２４・・・表示制御部、２５・・・表示パネル、２６・・・音声出力制御部、２７・・・スピーカ、２８・・・決済用端末通信制御部、２９・・・通信制御部、３０・・・リーダーライタ制御部、３１・・・リーダーライタ部、４０・・・決済用端末、５０・・・ＳＦデータサーバ、５１・・・ポイントデータサーバ
【図１】
2008077556.tif 000003
【図２】
2008077556.tif 000004
【図３】
2008077556.tif 000005
【図４】
2008077556.tif 000006